(57)【要約】【課題】背が高くて胴のくびれた飲料容器をも確実に保持するようになっていて、かつ引出し状の保持装置に適しているような、飲料容器の保持部を提供する。【解決手段】飲料容器３のための保持部であって、飲料容器３のための容器収容部７と、緊締装置１０とが設けられている形式のものにおいて、保持部１が、半円形の少なくとも１つの保持湾曲部材１０を有しており、該保持湾曲部材１０が、容器収容部７の上方の領域において、周部における、半径方向で互いに反対の側に位置している２つのヒンジ１４に取り付けられていて、ばね弾性的に旋回可能に支承されており、ばね作用が、飲料容器３を入れる方向とは逆の向きに、容器収容部７から外方への旋回を生ぜしめるようになっており、旋回角度が、両方向でストッパ１５によって制限されている。【選択図】　　　図１
2004010040.tif 000002
【特許請求の範囲】
【請求項１】
飲料容器（３）のための保持部であって、飲料容器（３）のための容器収容部（７）と、緊締装置（１０）とが設けられている形式のものにおいて、保持部（１）が、半円形の少なくとも１つの保持湾曲部材（１０）を有しており、該保持湾曲部材（１０）が、容器収容部（７）の上方の領域において、周部における、半径方向で互いに反対の側に位置している２つのヒンジ（１４）に取り付けられていて、ばね弾性的に旋回可能に支承されており、ばね作用が、飲料容器（３）を入れる方向とは逆の向きに、容器収容部（７）から外方への旋回を生ぜしめるようになっており、旋回角度が、両方向でストッパ（１５）によって制限されていることを特徴とする、飲料容器のための保持部。
【請求項２】
保持部（１）が、２つの保持湾曲部材（１０）を有しており、これらの保持湾曲部材（１０）の半径が異なっており、それぞれの保持湾曲部材（１０）の前記２つのヒンジ（４）が、容器収容部（７）の周部において互いにずらして配置されている、請求項１記載の飲料容器のための保持部。
【請求項３】
それぞれの保持湾曲部材（１０）の前記２つのヒンジ（１４）が、容器収容部（７）の周部において互いに９０°ずらして取り付けられている、請求項２記載の飲料容器のための保持部。
【請求項４】
保持部（１）が、飲料容器（３）のための保持装置（２）の一部であり、該保持装置（２）がスライド部（５）を有しており、該スライド部（５）が引出し状に、押し込まれた位置から引き出された位置へスライド可能に案内されており、引き出された位置では、容器収容部（７）が保持リング（８）と底部（９）とから形成され、保持リング（８）内に飲料容器（３）を置くことができるようになっており、保持リング（８）が制御湾曲部材（１７）によって、スライド部（５）の引き出しに際して、下降せしめられた位置から持ち上げられた位置に案内されるようになっており、保持湾曲部材（１０）が、スライド部（５）に支えられている制御ピン（２２）、カムまたはこれに類するものによって、スライド部（５）の押し込みに際して保持リング（８）内に旋回せしめられるようになっている、請求項１記載の飲料容器のための保持部。
【発明の詳細な説明】
【０００１】
【発明の属する技術分野】
本発明は、飲料容器のための保持部であって、飲料容器のための容器収容部と、緊締装置とが設けられている形式のものに関する。
【０００２】
【従来の技術】
従来技術によって、カップ、コップ、飲料缶、瓶またはこれに類するもののためのポット状の容器収容部を備えた、冒頭の形式の多くの保持部が公知である。これらの公知の保持部は、大抵、部分的に周部にわたって分配して配置された１つまたは複数の保持ジョーまたはこれに類するものを有している。これらの保持ジョーは、ポット状の容器収容部の内部に突入していて、斜めのおよび／または丸く成形されたすべり面を有している。ばね弾性に基づいて、保持ジョーを飲料容器の周面から半径方向で押し離すことができ、保持ジョーが緊締によって飲料容器を保持するようになっている。このような保持部は、例えばドイツ連邦共和国特許第２９６０６５８３８号明細書に記載されている。適宜な緊締装置が、複数の保持ジョーを有していて、これらの保持ジョーは、それぞれ個別に旋回・リニア支承によって飲料容器に固定されている。ばねエレメントとしては、容器収容部の周囲に係合している弾性的な円形リングまたは帯状物が提案される。このようなホルダは、例えば瓶のような背の高い飲料容器を、部分的には不十分にしか保持しないという欠点を有している。なぜならば、飲料容器の下方の領域でしか緊締が行われないからである。さらに、胴のくびれた瓶の緊締は、大抵の場合、行われ得ない。保持ジョーがかろうじて胴部の上ぎりぎりの所にしか当てられず、飲料容器を上方に押し上げてしまうか、または保持ジョーが最大直径の上方に当てられ、これにより、強すぎる緊締が行われてしまう。
【０００３】
さらに、例えばドイツ連邦共和国特許第１９９２６００３６号明細書によって、すべり案内部を有している保持装置が公知である。このすべり案内部内には、スライド部が引出し状に、押し込まれた位置から引き出された位置へスライド可能に案内されている。保持部の全てのエレメント、特に容器収容部と緊締装置とは、押し込まれた位置では次のように、すなわち、引出し部の浅い構成空間内に案内され得るように、引き出された位置に対して旋回せしめられかつ傾動せしめられている。これらのエレメントは相応に、上記の保持部に比べて著しく単純である。引き出された位置では、飲料容器をスライド部に置くことができ、この飲料容器は、下方に旋回可能な補償フラップによってしか緊締されない。このような緊締装置は、先述の緊締装置と同じ問題を有している。
【０００４】
【特許文献１】
ドイツ連邦共和国特許第２９６０６５８３８号明細書
【特許文献２】
ドイツ連邦共和国特許第１９９２６００３６号明細書
【０００５】
【発明が解決しようとする課題】
本発明の課題は、冒頭の形式の、飲料容器のための保持部を改良して、特に背が高くて胴のくびれた飲料容器をも確実に保持するようになっていて、かつ引出し状の保持装置に適しているようなものを提供することである。
【０００６】
【課題を解決するための手段】
この課題を解決するために本発明の構成では、保持部が、半円形の少なくとも１つの保持湾曲部材を有しており、該保持湾曲部材が、容器収容部の上方の領域において、周部における、半径方向で互いに反対の側に位置している２つのヒンジに取り付けられていて、ばね弾性的に旋回可能に支承されており、ばね作用が、飲料容器を入れる方向とは逆の向きに、容器収容部から外方への旋回を生ぜしめるようになっており、旋回角度が、両方向でストッパによって制限されているようにした。
【０００７】
本発明によれば、飲料容器が容器収容部の上方で、半円形の少なくとも１つの保持湾曲部材によって緊締されるようになっている。この保持湾曲部材は、容器収容部の上方の領域において、周部の、半径方向で互いに反対の側に位置している２つのヒンジに取り付けられており、これにより、旋回軸線が容器収容部の対称軸線に対して垂直に延びている。容器収容部から外方へ保持湾曲部材を旋回させるモーメントが、ばねによって保持湾曲部材に加えられる。旋回角度は、両方向でストッパによって制限されている。一方の旋回角度制限部は、保持湾曲部材によって描かれた平面が容器収容部の対称軸線に対して垂直であるように選択されている。保持湾曲部材は、この位置において、容器収容部の周部に面状に密着させられる。他方の旋回角度制限部は、保持湾曲部材が容器収容部から突出している旋回位置に立たされるように、すなわち例えば先述のストッパに対して４５°〜９０°旋回せしめられているように選択されている。
【０００８】
飲料容器を入れるためには、飲料容器は、上方および／または側方から保持湾曲部材に案内され、この保持湾曲部材は、少なくとも飲料容器が容器収容部内に導入され得るまで、先述のばね作用に抗して旋回せしめられる。容器は容器収容部の底部に座着するまで導入される。この位置において容器は保持湾曲部材によって、容器収容部の上方の点状または線状の緊締箇所に緊締される。容器収容部の上方の緊締によって、曲げモーメントが飲料容器に作用し、この曲げモーメントは容器収容部内で、対向支承部としての、互いに対向して位置している少なくとも２つの点において受容される。このためには、例えば、付加的に凹設部が底部に押出し変形されていてよい。
【０００９】
【発明の効果】
本発明による保持部によって、飲料容器は容器収容部の上方で緊締される。これにより、背の高いおよび／または胴のくびれた飲料容器に対して、公知の緊締装置に比較してより有利な緊締動作が生ぜしめられる。
【００１０】
有利な実施態様では、保持部は半円形の２つの保持湾曲部材を有しており、この場合、両保持湾曲部材の半径が異なっていて、それぞれの保持湾曲部材の前記２つのヒンジは、周部において互いにずらして配置されている。異なる半径によって、これらの保持湾曲部材の相互の妨害は生じない。２つの保持湾曲部材の配置によって、飲料容器は、容器収容部の上方の２つの緊締箇所に緊締される。これにより、１つしかない保持湾曲部材に比べて、傾動に対する著しく高い安全性が存在する。それぞれの保持湾曲部材の前記２つのヒンジは、有利には、互いに９０°ずらされている。
【００１１】
保持部が、飲料容器のための引出し状の保持装置の一部である場合、保持湾曲部材はスライド部の押し込みに際して、容器収容部に面状に密着させられるように、ばね作用に抗して引出し部内に旋回せしめられなければならない。この場合、容器収容部は、保持リングと、底部としてのスライド部とによって形成される。その際、このスライド部はさらに滴受として働くことができる。しかしながらその代わりに、飲料容器を下側で支えるようになっていて、かつスライド部の押し込みに際して、引出し部の構成空間に適合されたフラットな状態に旋回せしめられる別個の湾曲部材も、可能である。保持リングもまた、旋回可能にスライド部に取り付けられていて、スライド部の押し込みに際して制御湾曲部材によって、持ち上げられた位置から下降せしめられた位置に旋回せしめられる。この旋回運動は、保持湾曲部材を同じく旋回させるために利用される。保持湾曲部材の、下方に旋回させる自由端部は、保持リングの下降に際して、スライド部に設けられている制御ピン、カムまたはこれに類するものに当接する。これにより、ばね作用に抗するモーメントが作用し、ひいては保持湾曲部材がフラットな状態に旋回せしめられる。
【００１２】
【発明の実施の形態】
次に本発明の実施の形態を、図示の実施例を用いて詳しく説明する。
【００１３】
図１に示した保持部１は、自動車内に組み込むための引出し状の保持装置２の一部である。この保持部１は、飲料容器３、例えばカップ、コップ、飲料缶、瓶またはこれに類するものを保持するために使用され得る。保持装置２は、実質的に、ケーシング４とスライド部５とから成っており、このスライド部５はカバー６と保持部１とを備えている。ケーシング４は、例えば自動車のコックピットの領域に組み込むために設けられている。スライド部５は、カバー６の操作によって、ケーシング４において出し入れされ得る。ロックおよびロック解除のためには、例えばプッシュ・プッシュ・ロック装置（図示せず）が働く。保持部１はスライド部５内に組み込まれている。保持部１は、容器収容部７と半円形の２つの保持湾曲部材１０とから成っており、前記の容器収容部７は、保持リング８とスライド部５の底部９とから形成される。スライド部５の、図示の引き出された位置では、保持リング８はスライド部５に対して持ち上げられていて、やや旋回せしめられている。両保持湾曲部材１０は、保持リング８の上方の領域において、互いに９０°ずらされて、それぞれ半径方向で互いに反対の側に位置している２つのヒンジ１４（図２参照）に取り付けられている。両保持湾曲部材１０は異なる半径を有していて、飲料容器３を緊締箇所１１に緊締固定するようにばね作用によって保持リング８から旋回せしめられている。対向支承部として、保持リング８のストッパ１２とスライド部５の底部９とが働く。この形式の緊締固定によって、特に背の高いおよび／または胴のくびれた飲料容器３のための極めて良好な保持がもたらされる。
【００１４】
飲料容器３が保持部１内に入れられない限り、保持湾曲部材１０は、保持リング８に対してさらに５〜１０°旋回せしめられている。飲料容器３が入れられるためには、飲料容器３は、前方および／または上方から保持湾曲部材１０に向かって案内される。「前方から」とは、スライド部５の押し込み方向のことである。「上方から」とは、保持リング８の平面に対して垂直な、底部９に向かう方向のことである。保持湾曲部材１０は、飲料容器３が保持リング８内に導入され得るまで、ばね作用に抗して旋回せしめられる。飲料容器３は、スライド部５の底部９に座着するまで導入される。
【００１５】
図２には、保持装置２の重要な機能エレメントを断面して示してある。保持湾曲部材１０のばね作用は、それぞれの保持湾曲部材１０の少なくともそれぞれ１つのヒンジ１４におけるねじりばね１３によって得られる。保持湾曲部材１０の旋回に対するストッパとして、保持リング８における複数の段部１５と、保持湾曲部材１０のストッパ縁部１６とが利用される。スライド部５の構成空間内に保持リング８が旋回せしめられかつ下降せしめられるためには、保持リング８は、旋回可能に取り付けられた制御湾曲部材１７によって案内される。制御湾曲部材１７はスライド部５内に、支承ピン１８を介して旋回可能に支承されている。旋回運動は、長穴２０を通ってスライド部５内に突入していて、案内溝２１によってケーシング４内で案内される制御ピン１９によって達成される。スライド部５内への保持リング８の下降によって、制御ピン２２を介して、ねじりばね１３に抗するモーメントが保持湾曲部材１０に及ぼされる。制御ピン２２は、スライド部５に形成されたブシュによって案内される。制御ピン２２と、保持リング８に対して不動のスライド部５との間の力伝達は、ばね２３を介して行われる。これにより、製作公差に左右されることなく、段部１５に当接するまでの保持湾曲部材１０の旋回が保証される。両保持湾曲部材１０は、この形式で保持リング８内に旋回せしめられ、保持リング８は、スライド部５の構成空間内に旋回せしめられる。これにより、保持部１の全てのエレメントは、ケーシング４の浅い構成空間内に押し込まれ得る。引き出しに際しては、上記の運動が逆の順序で行われる。
【図面の簡単な説明】
【図１】保持装置の一部としての保持部の斜視図である。
【図２】保持装置の斜視図的な断面図である。
【符号の説明】
１　保持部、　２　保持装置、　３　飲料容器、　４　ケーシング、　５　スライド部、　６　カバー、　７　容器収容部、　８　保持リング、　９　底部、１０　保持湾曲部材、　１１　緊締箇所、　１２　ストッパ、　１３　ねじりばね、　１４　ヒンジ、　１５　段部、　１６　ストッパ縁部、　１７　制御湾曲部材、　１８　支承ピン、　１９　制御ピン、　２０　長穴、　２１　案内溝、　２２　制御ピン、　２３　ばね
【図１】
2004010040.tif 000003
【図２】
2004010040.tif 000004